(57)【要約】      （修正有）【課題】木造建築物の軸組に対する多方向からの震動の負荷に対して、緩衝し復元をする柔軟な耐震金具を開発する。【解決手段】木造建築物の軸組角部に約４５度〜５５度に傾斜して連通する孔Ｄを穿設し、その孔に、前方の丸棒１と後方の丸棒２の中間に板バネ３を備えた連結丸棒を、長手方向を中心軸にして摺動自転可動に装填する。連結丸棒は板バネが両構造材Ａ・Ｂの形成する軸組角部に位置するように装填され、孔Ｄの下方から後方の丸棒２の端面に当接して支持する短丸棒５が装填され、座金６をネジで止めて一方の構造材に固定される。【選択図】図２
0003211422.tif 000002
【実用新案登録請求の範囲】
【請求項１】
木造建築物において構造材の交差接続部やＬ字接続部に設ける耐震金具であって、前方の丸棒と後方の丸棒の中間に板バネを設けた連結丸棒を、木造建築物の軸組角部に傾斜した孔を設けてその孔に前記連結丸棒を、長手方向を中心軸にして自転可動に挿入装填したことを特徴とする耐震金具。
【請求項２】
木造建築物において構造材の交差接続部やＬ字接続部に設ける耐震金具であって、木造建築物の軸組角部に傾斜した孔を設けてその孔に、同径である前方の丸棒と後方の丸棒の中間に板バネを設けた連結丸棒を、長手方向を中心軸にして自転可動に挿入装填し、前記連結丸棒を前記孔の所定の位置で下方から支承し保持する短丸棒を設けたことを特徴とする耐震金具。
【請求項３】
木造建築物において、構造材Ａと構造材Ｂとの軸組である交差接続部やＬ字接続部に設ける耐震金具であって、接続する木造軸組において、一方の構造材Ａから他方の構造材Ｂにかけて木造軸組の軸組角部に約４５度〜５５度に傾斜して連通する孔Ｄを穿設し、その孔Ｄに挿入装填される耐震金具は、前方の丸棒と後方の丸棒の中間に板バネを備えた連結丸棒で、前方の丸棒と後方の丸棒の連結丸棒は長手方向を中心軸にして前記孔Ｄに摺動自転可動に装填する棒径で、前記中間に板バネを備えた連結丸棒は前記板バネが前記両構造材Ａ・Ｂの形成する軸組角部に位置にするように装填され、前記孔Ｄの下方から前記連結丸棒の後方の丸棒の端面に当接して支持する短丸棒を前記孔Ｄに装填して前記短丸棒の座金をネジで止めて一方の構造材に固定したことを特徴とする耐震金具。
【請求項４】
前記連結丸棒の後方の丸棒の端面を平坦面にし、前記短丸棒の先端を平坦面にしたことを特徴とする請求項１〜請求項３のいずれかに記載の耐震金具。
【請求項５】
前記連結丸棒と短丸棒とを連結具で連結している請求項１〜請求項４のいずれかに記載の耐震金具。
【請求項６】
前記軸組角部に露出した板バネを装飾構造材で隠した請求項１〜請求項５のいずれかに記載の耐震金具。
【考案の詳細な説明】
【技術分野】
【０００１】
本考案は、木造建築物の軸組構造に使用する耐震金具に関する。
【背景技術】
【０００２】
従来、木造建築物の軸組角部を、地震などの震動から保護する補強部材がある。
【０００３】
補強部材は、直角に接合される軸組（水平な構造材と垂直な構造材）の角部に、Ｌ形の補強金具を取り付けるとか、Ｔ形金具を付設するとか、内角部に板バネ・棒バネなどを設けた補強部材技術である。
【０００４】
その先行技術には、次のような特許文献１、特許文献２、特許文献３が開示されている。
【先行技術文献】
【特許文献】
【０００５】
【特許文献１】実用新案登録第３１５９７２３号公報「制振かすがい」
【特許文献２】特開２００２−２５６７０９号公報「補強シート付耐震補強金具及びその取付方法」
【特許文献３】特開２００４−３６１３９「耐震補強具」
【０００６】
特許文献１の「制振かすがい」は、棒バネ材のかすがいの端部を構造材に打ち込んで、その弾性力で、震動の抑制を意図している構成である。
特許文献２の「補強シート付耐震補強金具及びその取付方法」は、板バネを角部に設けて、耐震補強した構成である。
【０００７】
いずれの補強構成も、金具をＬ形の軸組角部に固定して用いるものであって、Ｌ形の直角（９０度）の内角を形成する面への負荷に対抗する方向への一方向への補強になっている。
【０００８】
特許文献３は、Ｌ形の軸組角部に固定して用いるものであって、一対の支持部材と弾性材料から構成された負荷緩衝部材を備えて、縦方向に可動な接続部を介して取り付け部材で軸組の内角部に設けられる耐震補強具である。
接続部は縦方向に可動で、Ｌ形の直角（９０度）の内角を形成する面への負荷に対抗する一方向への補強になっている。
【考案の概要】
【考案が解決しようとする課題】
【０００９】
本考案の解決しようとする課題は、木造建築物に対する地震や強風による多方向からの震動揺動の負荷に対して、木造建築物の柱と梁の接続のようなＬ字接続部を補強しその多方向からの負荷を抑制し、変形を抑止し、限界を超えた変形に対しては復元をすることができる耐震金具を提供することである。
【００１０】
更には、本考案の耐震金具は、木造建築物の軸組要所への後付施工が可能であることが課題のひとつである。
【００１１】
更には、デザイン的に耐震金具を隠すことが可能な構成にすることも課題のひとつである。
木造建築において、螺旋バネやジャッキ風の耐震金具や機械要素的な耐震金具が、室内に露骨に視認されることは好ましくないこともあり、特に和風建築などでは美観の維持は重要視される。
【００１２】
伝統的和風家屋や茶室、市中の祠などの木造建造物も耐震補強をするときなどは、補強の痕跡を露骨には見せず、しかも補強がされたことが一見で認識できることも大切な要素である。
【００１３】
更には、特許文献１は、棒バネ材の取り付けが簡単ではなく、不規則な震動で重量のある棒バネ材が抜脱するおそれがあり、特許文献２や特許文献３では、構造が複雑で部品点数が多く、又現場の作業が多い課題があった。
更には、その取り付け方が実質一方向に対応する補強であることが、上下左右多様な震動への対応が不十分で、軸組み部分の破損や損傷が起こることがあった。
本考案の耐震金具は、抜脱するおそれがなく、シンプルな構造で多方向の震動に対応でき、現場作業の軽減というが課題にも対応している。
【００１４】
更に、耐震金具の装置が比較的簡単にできるとともに、耐震金具の取り外しが容易にできる構成にすることも課題のひとつである。
分解解体時にも、木造建築物の木部と耐震金具の分離分別が容易になる。
【課題を解決するための手段】
【００１５】
本考案は、木造建築物に対する地震や風害による多方向からの震動の負荷に対して、柱と梁との交差接続部やＬ字接続部を補強しその多方向からの負荷に対応することができる耐震金具を提供するもので、前後丸棒の中間に板バネを設けた連結丸棒を、木造建築物の軸組角部（軸組角部の内部とＬ型外部を含む部分）に傾斜した孔を設けてそこに脱着自在に装填配備することで、その連結丸棒を、長手方向を中心軸にして自転可動にし、柔軟な板バネの幅広面を負荷の方向に向けて自転して対応復元する耐震金具を達成したものである。
弾性のある板バネの幅広面(負荷で湾曲する面)を負荷の方向に自動的に自転して向け、板バネの幅広面で柔軟に負荷を受けて木造建築物の接合部を柔軟に耐震するものである。
【００１６】
木造軸組の角部に傾斜して連通する孔を穿設し、その孔へ前方の丸棒と後方の丸棒の中間に板バネを備えた連結丸棒を摺動自転自在に装填し、前記板バネが前記木造軸組の角部内角に位置にして連結丸棒からなる耐震金具は、震動負荷があったとき、板バネの幅広面を揺れ方向に正対するように孔内で自動的に自転し、幅広面で震動を受けて、その震動を緩衝する。
【００１７】
連結丸棒を構成する板バネの前後の丸棒は、木造軸組に穿設した孔内で板バネの自転を支承する部材で、所定の位置で自転を支承するものであれば多角棒形や円管などでもよく、材質も硬質合成樹脂や鉄鋼、木材を問わない。
又、前記連結丸棒を孔から落下しないようにかつ所定の位置で自転を下方から支承し保持する支持体となる短丸棒を差し込み設けている。
【００１８】
請求項１の考案は、木造建築物において構造材の交差接続部やＬ字接続部に設ける耐震金具であって、前後丸棒の中間に板バネを設けた連結丸棒を、木造建築物の軸組角部に傾斜した孔を設けてその孔に前記連結丸棒を、長手方向を中心軸にして自転可動に挿入装填したことを特徴とする耐震金具である。
中間に板バネを設けた前方の丸棒と後方の丸棒は、同径であり、その板バネの両端を前後の丸棒の穴に埋め込み連結している。
【００１９】
請求項２の考案は、前後丸棒の中間に板バネを設けた連結丸棒を、木造建築物の軸組角部に傾斜した孔を設けてその孔に前記連結丸棒を、長手方向を中心軸にして自転可動に挿入装填し、前記連結丸棒を所定の位置で下方から支承し保持する短丸棒である支持体を設けたことを特徴とする耐震金具である。
震動負荷があったときは板バネの幅広面（負荷で湾曲し、曲げ弾性がある面）を揺れ方向に正対するように孔内で自転しその幅広面で震動を受ける。
【００２０】
請求項３の考案は、木造建築物において、構造材Ａと構造材Ｂとの軸組である交差接続部やＬ字接続部に設ける耐震金具であって、接続する木造軸組において、一方の構造材Ａから他方の構造材Ｂにかけて木造軸組の軸組角部に約４５度〜５５度に傾斜して連通する孔Ｄを穿設し、その孔Ｄに挿入装填される耐震金具は、前方の丸棒と後方の丸棒の中間に板バネを備えた連結丸棒で、前方の丸棒と後方の丸棒の連結丸棒は長手方向を中心軸にして前記孔Ｄに摺動自転可動に装填する棒径で、前記中間に板バネを備えた連結丸棒は前記板バネが前記両構造材Ａ・Ｂの形成する軸組角部に位置にするように装填され、前記孔Ｄの下方から前記連結丸棒の後方の丸棒の端面に当接して支持する支持体である短丸棒を前記孔Ｄに装填して前記短丸棒の座金をネジで止めて一方の構造材に固定したことを特徴とする耐震金具である。
【００２１】
請求項４の考案は、前記連結丸棒の後方の丸棒の端面を平坦面にし、支持体である短丸棒の先端を平坦面にしたことを特徴とする請求項１〜請求項３のいずれかに記載の耐震金具である。
【００２２】
請求項５の考案は、連結丸棒と支持体とを連結具で接続した耐震金具である。
取り付け作業において、一組のものとして、軸組の孔に装填することができ作業性が良い。
請求項６の考案は、前記軸組角部に露出した板バネを装飾構造材で隠した請求項１〜請求項５のいずれかに記載の耐震金具である。
【考案の効果】
【００２３】
本考案に係る耐震金具は、前記のような構成であり、次のような技術的効果がある。
（１）本考案に係る耐震金具は、木造建築物に対する地震や強風による多方向からの震動の負荷に対して、その負荷と正対する方向に自転して、その弾性力で負荷を受け、抑制し、軸組みの変形を抑止し、限界を超えた変形に対しては復元をするように作用する。
【００２４】
（２）本考案に係る耐震金具は、既設の木造建築物の軸組要所への後付が可能である。建築関係法規上問題なく、かつ軸組角部に孔を穿設できる個所であれば後付が簡単にできる。
（３）耐震金具の基本部分は、木造軸組の孔に装填されるので、耐震金具を隠すことが可能である。
板バネの一部を露出させた場合や、その露出した板バネを装飾材で覆う構成では、補強がされたことが一見で認識できるようにすることもできる。
【００２５】
（４）板バネが自転するので、上下左右多様な震動への対応において、その弾性力を負荷の方向に常に正対して作用させることができるので、抑止効率が高い。そのため軸組角部分の破損や損傷を防ぐ確率が高くなる。
【００２６】
（５）孔に装填される耐震金具であるので、抜脱するおそれがなく、かつ取り付けも簡易であるので作業性も良い。
（６）家屋の解体などの場合でも、支持体を取り外して耐震金具の抜き取りが容易にできるので、分解解体時にも、木造建築物の木部と耐震金具の分離分別が容易になる。
【図面の簡単な説明】
【００２７】
【図１】図１は本考案に係る耐震金具の実施例１の基本部分を示す連結丸棒と短丸棒を示す斜視図である。連結丸棒を板バネの幅広面を正面に見るときの前方の丸棒の一端は傾斜楕円面で、後方の丸棒の後端は真円形の平坦面である。連結丸棒と短丸棒は連結具で繋がっている。
【図２】図２は、本考案の耐震金具の実施例１を示すもので、木造軸組角部分に孔を形成し、板バネを備えた連結丸棒を装填した状態の一部切開した断面説明図である。
【図３】図３は、図２のＹ−Ｙ線断面図である。板バネは少なくとも左右に矢標Ｓのように９０度自転できるように支承される。
【図４】図４は、本考案に係る耐震金具の実施例１を施工した状態を、下から見上げた施工状態図である。
【図５】図５は、本考案に係る耐震金具の実施例１を施工した状態を、上から見た施工状態図である。
【図６】図６は、本考案に係る耐震金具の実施例２の基本部分を示す連結丸棒と短丸棒を示す斜視図である。板バネが比較的短い連結丸棒と短丸棒は一組のものであるが、連結具を備えず、分離した別部品としている構成を示している。
【図７】図７は、同じく本考案に係る耐震金具の実施例３の基本部分を示す連結丸棒と短丸棒を示す斜視図である。板バネは、比較的長い露出長さで左右端を前後の丸棒に差し込まれている。長く露出した板バネは、負荷を柔軟に受けることができるので，柔構造の木造建築物に適する耐震金具である。連結丸棒と短丸棒は、連結具としての接着テープで繋いでいる。接着テープは、剥離できる。
【図８】図８は、同じく本考案に係る耐震金具の実施例４の基本部分を示す連結丸棒と短丸棒を示す斜視図である。図８に示す連結丸棒は、両端を真円形の平坦面としたものである。構造材と面合わせをしなくても支障がない軸組個所等で使用される。連結丸棒と短丸棒は、連結具としての磁力の弱いマグネットシートを付設したものである。マグネットシートの磁力は、震動等の負荷による連結丸棒の自転を妨げることがない程の磁力である。連結丸棒と短丸棒は、金属材で形成されている。
【図９】図９は、本考案の耐震金具を示す図２の実施例１に、震動負荷Ｑが加わった状態を示すもので、その震動負荷Ｑに対して板バネがその弾性で復元力Ｐを発揮し、復元する状態を示す説明図である。
【図１０】図１０は、本考案の耐震金具を示す図２の実施例１に、震動負荷Ｑが加わった状態を示すもので、その震動負荷Ｑに対しまして板バネがその弾性で復元力Ｐを発揮し、復元する状態を示す説明図である
【図１１】図１１は、図２の施工実施例１の板バネ部分を装飾構造材（装飾モール）で隠した施工状態の説明図である。
【図１２】図１２は、木造軸組に穿設する傾斜した孔の位置の２例を示すものである。構造材Ａと構造材Ｂの交差する個所から図中矢標Ｒ（軸組の内角に向かう方向）の方向の所定位置に板バネが在るように支持ことを示すもので、図１１に示す傾斜した孔の位置の例と、その上方で傾斜した孔の位置の例を示している。
【図１３】図１３は、木造建築物の木造軸組の多数の箇所に穿設する傾斜した孔を設けて施工することを示す説明図である。軸組角部分には、板バネを備えた耐震金具を設けるほか、他の軸組角部分にはストレート丸バネ構造の耐震金具を設けるなど、建築物の構造にあった耐震金具を施工する説明図である。
【考案を実施するための形態】
【００２８】
次に本考案の実施形態を実施例に基づき説明する。
【実施例１】
【００２９】
本考案に係る耐震金具の実施例１として図１〜図５に示すものについて説明する。
図１は、前方の丸棒１と後方の丸棒２の中間に丸棒より径小の板バネ３を備えた連結丸棒４と、後方の丸棒２に細紐である連結具７で座金６を備えた短丸棒５を繋いだ耐震金具の基本部分を示す斜視図である。
連結丸棒４を板バネ３の幅広面３１を正面に見るときの前方の丸棒１の一端は傾斜楕円面で、後方の丸棒の後端２１は真円形の平坦面である。
後方の丸棒の後端２１と対面する短丸棒５の端面５１も平坦面である。
【００３０】
図１に示す耐震金具の基本部分は、木造建築物において、構造材Ａと構造材Ｂとの軸組である交差接続部やＬ字接続部に設ける耐震金具を構成するものであって、接続する木造軸組において、一方の構造材Ａから他方の構造材Ｂにかけて木造軸組の軸組角部に約４５度〜５５度に傾斜して連通する孔Ｄを穿設し、その孔Ｄに挿入装填されて機能する。
耐震金具の基本部分は、前方の丸棒１と後方の丸棒２の中間に板バネ３を露出してその板バネ３の両端を前後の丸棒１，２の穴１０に埋め込み連結した連結丸棒４である。
【００３１】
前方の丸棒１と後方の丸棒２の連結丸棒４は長手方向を中心軸にして前記孔Ｄに摺動自転可動に装填する棒径で、前記中間に板バネ３を備えた連結丸棒４は前記板バネ３が前記両構造材Ａ・Ｂの形成する図２に示す矢標Ｒの方向の内角中間に位置にするように装填される。
【００３２】
前方の丸棒１と後方の丸棒２の外径は同径で、前記木造軸組の軸組角部に約４５度に傾斜して連通する孔Ｄの内径と摺接して、長手方向の中心軸を軸にして自転する径である。
孔Ｄの傾斜角度は、好ましくは４５度あるが、約４５度〜５５度程度でもよい。
即ち丸棒１と丸棒２の形状は、孔Ｄ内で自転するための丸棒形状であるので、断面正八角形の棒状など自転ができる多角形の棒体や管体の形状にも設計変更ができる。
【００３３】
中間に板バネ３を備えた連結丸棒４は、長手方向を中心軸にして孔Ｄ内で少なくとも左右に夫々９０度を自転することができれば、多方向の震動に対応した向きで震動を受けることができる。
震動が起きた場合、連結丸棒４の中間の板バネ３はその湾曲する方向に幅広面３１を向けて自転し湾曲するように作用する。
【００３４】
連結丸棒４の自転を保証するために、前記孔Ｄの下方から前記連結丸棒４の後方の丸棒２の端面に当接して支持する支持体である短丸棒５を前記孔Ｄに装填している。
後方の丸棒の後端２１と対面する短丸棒５の端面５１は平坦面である。
平坦面に形成することで、直線状に合体化して、差し込みがスムーズにでき便利である。
ただ、所定位置で支承するためには、必ずしも平坦面である必要はなく、一方が平坦面で、一方が円錐状で、先端で点接触して、自転を保証しても良い。
【００３５】
前記短丸棒５の後端には座金６を設けている。座金６は一方の構造材Ｂにネジや釘で止めて固定される。
連結丸棒４と短丸棒５は連結具７で繋がっている。連結具７は、細い紐、接着テープ、磁石などで、連結丸棒４の自転に支障がないときは、連結のままでもよいが、この連結は、孔Ｄへの差し込み工事まで連結丸棒４と短丸棒５が分離紛失しないために必要な構成であるので、差し込むときには、連結具７は、剥がすか取っても削ってもよい。
【００３６】
実施例１の耐震金具は、木造建築物において、構造材Ａと構造材Ｂとが直角に接続する木造軸組（Ａ×Ｂ）において、一方の構造材Ａの途中から他方の構造材Ｂの途中にかけて、木造軸組（Ａ×Ｂ）の角部に約４５度〜５５度に傾斜して連通する孔Ｄを穿設し、その孔Ｄに装填して自転する耐震金具であって、
耐震金具は、前方の丸棒１と後方の丸棒２の中間に板バネ３を備えた連結丸棒４で、前方の丸棒１と後方の丸棒２は長手方向を中心軸にして前記孔Ｄに摺動自転自在に装填する棒径で、前記中間に板バネ３を備えた連結丸棒４は前記板バネ３が前記両構造材Ａ・Ｂの形成する軸組角部（Ｌ状空間を含む）に位置にするように装填され、前記孔Ｄの下方から前記連結丸棒４の後方の丸棒２の端面に当接して支持する支持体である短丸棒５を前記孔Ｄに装填して前記短丸棒５の座金６をネジ等で止めて一方の構造材Ｂに固定したことを特徴とする耐震金具である。
【実施例２】
【００３７】
図６は、本考案に係る耐震金具の実施例２の基本部分を示す連結丸棒４と短丸棒５を示す斜視図である。
板バネ３を比較的短い長さとした連結丸棒４と、連結具７のない短丸棒５を示している。連結具を備えず、分離した別部品としている構成である。
【００３８】
前方の丸棒１と後方の丸棒２の中間に板バネ３を露出してその板バネ３の両端を前後の丸棒１，２の穴１０に埋め込み連結した連結丸棒４で、後方の丸棒２の後端面２１を真円形の平坦面とし、この平坦面に対面する端面５１を真円形の平坦面とした短丸棒５を組み合わせ、短丸棒５の端面５１に、連結丸棒４の丸棒２の後端面２１を係止して、その位置で自転する。
前記中間に板バネ３を備えた連結丸棒４は後方の丸棒２の後端面２１が平坦面で、前記短丸棒の端面５１も平坦面である。
前記丸棒２の後端面２１と短丸棒５の端面５１とは、当接しているだけで、連結していない。
連結丸棒４は、軸組角部の孔Ｄに長手方向を軸として自転可動に装填され、支持体である短丸棒５の端面５１で、自転を下方から支承されている。
所定位置で支承するためには、必ずしも平坦面である必要はなく、丸棒２の後端面２１と短丸棒５の端面５１とは、一方が平坦面で、一方が円錐状で、先端で点接触して、自転を保証しても良い。
平坦面であることのメリットは、一組として合体していて保管しやすく、差し込み施工や取扱いやすさにある。
【００３９】
この実施例２の連結丸棒４を用いた耐震金具は、木造軸組の軸組角部に約４５度に傾斜して連通する孔Ｄに、自転するように遊嵌装填して、かつ所定位置に板バネ３が露出するように、所定径に穿設した孔Ｄに連結棒４を差し込み、落下してこない前に短丸棒５を差し込み、座金６をネジ固定して施工される。
【実施例３】
【００４０】
図７は、同じく本考案に係る耐震金具の実施例３の基本部分を示す連結丸棒４と短丸棒５を示す斜視図である。
板バネ３は、比較的長い露出長さで両端を夫々前後の丸棒１、丸棒２の穴１０に差し込まれている。
長く露出した板バネ３は、負荷を柔軟に受けることができるので，柔構造の木造建築物に適する耐震金具である。
連結丸棒４と短丸棒５は、連結具７としての接着テープで繋いでいる。
接着テープは、孔Ｄに連結丸棒４を差し込むときに外して次にすぐ短丸棒５を差し込んで施工できる。
【００４１】
丸棒２の後端面２１を真円形の平坦面とし、この平坦面２１に対面する短丸棒５の端面５１を真円形の平坦面としていて、震動が起きた時は、接触している面は滑動し、連結丸棒４の自転の支持面となる。
【実施例４】
【００４２】
図８は、耐震金具の実施例４の基本部分を示す連結丸棒４と短丸棒５を示す斜視図である。図８に示す連結丸棒４は、両端を真円形の平坦面としたものである。
棒材を垂直に切断しているので製造しやすいし、構造材Ａ・Ｂと面合わせをしなくても支障がない軸組個所等で使用される。
中間の板バネ３は、比較的長いもので、震動に対して柔軟に負荷を受けて柔構造の軸組構造にも適用できる。
板バネ部分の長さは、施工個所や、柱と梁の太さなどで変更できることを示している。
連結丸棒４と短丸棒５は、連結具７としての磁力の弱いマグネット７１を付設したものである。マグネット７１はシートタイプで、その磁力は、震動等の負荷による連結丸棒４の自転を妨げることがない程の磁力である。
短丸棒５は、金属材で形成されていて、連結丸棒４と弱く磁着して、分離紛失しないで保管できる。
【００４３】
図９、図１０は、図２の実施例１に、震動負荷Ｑが加わった状態を示すもので、その震動が起こす負荷Ｑに対して板バネ３がその弾性による復元力Ｐで復元する状態を示す説明図である。
図９のように地震等で構造材Ａに右下方向きの往復震動が負荷Ｑされた場合には、板バネ３に負荷がかかり変形してゆくが、その時、連結丸棒４は孔Ｄを摺動上下動し、自転し、負荷の方向に、板バネ３の湾曲面である幅広面２１を向けて、一旦柔軟に変形するが、その弾性復元力Ｐで、元の位置に復元するように対応する。震動に対して柔軟にかつ構造材Ａ・Ｂにダメージを与えることなく、復元するように作用する。
【００４４】
図１０のように、右横向きの震動が負荷Ｑされた場合には、連結丸棒４は孔Ｄを摺動上下動して位置をずらし、自転し、孔Ｄ内の位置を変えて、負荷の方向に正対して、板バネ３の湾曲面である幅広面２１を向けて、一旦柔軟に変形する。そして、左向きの復元力Ｐで、柔軟に耐震作用を行う。
【００４５】
連結丸棒４の中間の板バネ３は、金属質であるので塗装などで室内雰囲気に色合わせをすることができるが、それでもなお室内に露出することが不適当であるときは、図１１のように板バネ部分を装飾構造材Ｃ（装飾モール）で隠した施工をすることも可能である。
装飾構造材Ｃ（装飾モール）を貼ってから、構造材Ａ、装飾構造材Ｃ、構造材Ｂを連通し傾斜した孔Ｄを形成することで、より丈夫になり、その孔Ｄに耐震金具を装填することで、板バネ部分を隠すことができる。
しかも、装飾構造材（装飾モール）Ｃがあれば耐震金具の施工を確認できることにもなる。
【００４６】
図１２は、木造軸組に穿設する傾斜した孔Ｄの位置の２例を示すものである。構造材Ａと構造材Ｂの交差する個所から図中矢標Ｒの方向の所定位置に板バネ３があるように支持するもので、前記図１１に示す傾斜した孔Ｄの位置の例と、その上方で構造材Ａ・Ｂの交差する内部に傾斜した孔Ｄを穿設する例を示している。
構造材Ａと構造材Ｂとが直角に接続する木造軸組角部分に、大小の耐震金具を並列に施工することも可能であることを示している。
本考案の耐震金具は、構造材に取り付ける連結丸棒４が、構造材Ａ・Ｂの軸組角部の内部に収納可能な形態であるので、基本部分で取付金具がないものである。
このことは、構造材Ａ・Ｂの軸組角部の表面にＬ型止め具をネジ止めするようなスペースは不要であるので、複数の耐震金具の取付けも可能としている。
【００４７】
図１３は、木造建築物の木造軸組の多数の箇所に穿設する傾斜した孔Ｄを設けて、適宜個所に多数施工することを示す説明図である。
軸組角部分には、板バネ３を備えた耐震金具を設けるほか、他の軸組角部分にはストレート丸バネ構造の耐震金具を設けるなど、木造建築物の構造にあった耐震金具を施工する説明図である。
ストレート丸バネ構造とは、単なる螺旋バネ或いは連結丸棒４の板バネ部分を螺旋バネにしたものである。
同じ太さの素材としては板バネ３に比して復元力は異なり、復元力の方向性も異なるので使用個所も選定される。
【００４８】
一個所の木造軸組に数本の耐震金具を差し込むことや、耐震金具を交差した状態で差し込むことも可能であり、木造建築において多様な耐震策が採用できる。
【００４９】
以上の実施例はあくまで一例であって、丸棒の素材を、硬質合成樹脂製や鉄製、合金製、木製などにするなどの素材の変更や、丸棒の形状を自転可能な多角形にする変更などは本考案に含まれる。
板バネの長さ寸法や強度に応じて施工個所に適応できる設計変更も本考案の予想する範囲である。本考案は実施例のみに限定されるものではない。
【符号の説明】
【００５０】
Ａ      構造材
Ｂ      構造材
Ｃ      装飾構造材
Ｄ      孔
Ｑ      震動による負荷
Ｐ      復元力
Ｒ      軸組の内角に向かう方向
１      前方の丸棒
２      後方の丸棒
２１    後方の丸棒の端面
３      板バネ
３１    板バネの幅広面
３２    板バネの側面
４      連結丸棒
５      短丸棒（支持体）
５１    短丸棒の端面
６      座金
７      連結具（紐）
７１    マグネット（連結具）
７２    接着テープ（連結具）
１０    穴
【図１】
0003211422.tif 000003
【図２】
0003211422.tif 000004
【図３】
0003211422.tif 000005
【図４】
0003211422.tif 000006
【図５】
0003211422.tif 000007
【図６】
0003211422.tif 000008
【図７】
0003211422.tif 000009
【図８】
0003211422.tif 000010
【図９】
0003211422.tif 000011
【図１０】
0003211422.tif 000012
【図１１】
0003211422.tif 000013
【図１２】
0003211422.tif 000014
【図１３】
0003211422.tif 000015
【手続補正書】
【提出日】平成29年5月12日(2017.5.12)
【手続補正１】
【補正対象書類名】実用新案登録請求の範囲
【補正対象項目名】全文
【補正方法】変更
【補正の内容】
【実用新案登録請求の範囲】
【請求項１】
木造建築物において構造材の交差接続部やＬ字接続部に設ける耐震金具であって、前方の丸棒と後方の丸棒の中間に板バネを設けた連結丸棒を、木造建築物の軸組角部に傾斜した孔を設けてその孔に前記連結丸棒を、長手方向を中心軸にして自転可動に挿入装填したことを特徴とする耐震金具。
【請求項２】
木造建築物において構造材の交差接続部やＬ字接続部に設ける耐震金具であって、木造建築物の軸組角部に傾斜した孔を設けてその孔に、同径である前方の丸棒と後方の丸棒の中間に板バネを設けた連結丸棒を、長手方向を中心軸にして自転可動に挿入装填し、前記連結丸棒を前記孔の所定の位置で下方から支承し保持する短丸棒を設けたことを特徴とする耐震金具。
【請求項３】
木造建築物において、構造材Ａと構造材Ｂとの軸組である交差接続部やＬ字接続部に設ける耐震金具であって、接続する木造軸組において、一方の構造材Ａから他方の構造材Ｂにかけて木造軸組の軸組角部に約４５度〜５５度に傾斜して連通する孔Ｄを穿設し、その孔Ｄに挿入装填される耐震金具は、前方の丸棒と後方の丸棒の中間に板バネを備えた連結丸棒で、前方の丸棒と後方の丸棒の連結丸棒は長手方向を中心軸にして前記孔Ｄに摺動自転可動に装填する棒径で、前記中間に板バネを備えた連結丸棒は前記板バネが前記両構造材Ａ・Ｂの形成する軸組角部に位置にするように装填され、前記孔Ｄの下方から前記連結丸棒の後方の丸棒の端面に当接して支持する短丸棒を前記孔Ｄに装填して前記短丸棒の座金をネジで止めて一方の構造材に固定したことを特徴とする耐震金具。
【請求項４】
前記連結丸棒の後方の丸棒の端面を平坦面にし、かつ前記短丸棒の先端を平坦面にしたことを特徴とする請求項２〜請求項３のいずれかに記載の耐震金具。
【請求項５】
前記連結丸棒と前記短丸棒とを連結具で連結している請求項２〜請求項４のいずれかに記載の耐震金具。
【請求項６】
前記軸組角部に露出した板バネを装飾構造材で隠した請求項１〜請求項５のいずれかに記載の耐震金具。
【手続補正２】
【補正対象書類名】明細書
【補正対象項目名】００２１
【補正方法】変更
【補正の内容】
【００２１】
請求項４の考案は、前記連結丸棒の後方の丸棒の端面を平坦面にし、かつその支持体である前記短丸棒の先端を平坦面にしたことを特徴とする請求項２〜請求項３のいずれかに記載の耐震金具である。
【手続補正３】
【補正対象書類名】明細書
【補正対象項目名】００２２
【補正方法】変更
【補正の内容】
【００２２】
請求項５の考案は、前記連結丸棒とその支持体である前記短丸棒とを連結具で接続した耐震金具である。
取り付け作業において、一組のものとして、軸組の孔に装填することができ作業性が良い。
請求項６の考案は、前記軸組角部に露出した板バネを装飾構造材で隠した請求項１〜請求項５のいずれかに記載の耐震金具である。